(57)【要約】【課題】  大量枚数の原稿の読取りに時間がかからないようにする。【解決手段】  ユーザーは、スキャナ装置側で、原稿の第1枚目を原稿ガラス上に、第2枚目以降の原稿をADFにセットする（S1,S2）。ネットワークを介してスキャナ装置と接続されたＰＣ側で読取り条件を設定する（S3）。ＰＣからの仮読取り指示により（S4）、スキャナ装置は第１枚目を仮読取りし、仮読取り画像をＰＣに転送する（S5）。仮読取り画像により画像の良否を判断し（S6）、良好でない場合（S6,NG）、読取り条件を変更し再仮読取りを指示する。良好であれば（S6,OK）、本読取りの開始を指示する（S7）。この指示によりスキャナ装置は、第1枚目及び第2枚目以降を連続して読取り（S8,S10）、ＰＣはこれらの読取り画像を受信し結合する（S9,S11,S12）。【選択図】        図３
2005184542.tif 000002
【特許請求の範囲】
【請求項１】
自動原稿送り装置にセットされた複数枚の原稿を読取る画像読取装置において、
画像読取装置の読取基板上にセットされた原稿の１枚目の読取りを指示する手段と、
前記指示により１枚目の原稿を読取る手段と、
読取られた１枚目の原稿に基き原稿の読取り条件の取得を指示する手段と、
前記指示により取得された読取り条件により読取り条件を再設定する手段と、
再設定された読取り条件で読取基板上にセットされた１枚目の原稿及び自動原稿送り装置から送られる原稿の読取りを指示する手段と、
前記指示により再設定された読取り条件で読取基板上にセットされた１枚目の原稿及び自動原稿送り装置から送られる原稿を読取る手段と、
を備えたことを特徴とする画像読取装置。
【請求項２】
請求項１記載の画像読取装置において、前記読取られた１枚目の原稿の画像をクライアント装置へ送信し、クライアント装置から再設定される読取条件を受信する通信手段を備えたことを特徴とする画像読取装置。
【請求項３】
請求項１又は２記載の画像読取装置を備えた画像形成装置。
【発明の詳細な説明】
【技術分野】
【０００１】
本発明は、原稿の仮スキャン結果により読取り条件を再設定しこの読取り条件により本スキャンする画像読取装置及びこの画像読取装置を有する画像形成装置に関する。
【背景技術】
【０００２】
ネットワーク技術の進展に伴い、スキャナ装置やプリンタ装置をＬＡＮ等のネットワークに接続し、遠く離れた場所の多数のユーザー（クライアントパソコン）により共有装置として使用することが行われている。スキャナ装置を共有装置として使用する場合、クライアントパソコン側で読取り条件の設定や読取り状態の確認を行うときは、読取り結果が満足できないとユーザーは、パソコンで読取り条件を変更入力したあと、スキャナ装置に戻って原稿を再セットして読取りを行わなければならない。このためパソコンとスキャナ装置間を何回も往復しなければならない事態が生じる。
【０００３】
このような事態に対処するために、スキャナ装置がデジタル複写機の一部として構成されている場合において、原稿の種類、読取り濃度等の読取り条件の設定は、すべてデジタル複写機の操作パネルで行えるようにし、デジタル複写機のプレスキャンでユーザーが所望する読取り画像が得られるまで、読取り条件の設定とプレスキャンを繰り返し行う発明が公知である（特許文献１参照）。
【０００４】
【特許文献１】特開2000-236410号公報
【０００５】
また前記事態に対処する他の発明として、自動原稿送り装置（ADF）を有し自動送給された原稿を読取るスキャナ装置において、原稿をプレスキャンし、プレスキャンされた原稿画像を表示し、表示された原稿画像を参照してスキャン条件を再設定し、再設定されたスキャン条件に従って原稿を本スキャンする。本スキャンにより得られた原稿画像は外部装置に提供されるが、このとき、ADFにより給送された原稿を両面読取りすると、表面側原稿と裏面側原稿とで画像の方向が異なる場合があるので、表示画像を確認して読取り画像を所定方向に回転させる発明が公知である（特許文献２参照）。
【０００６】
【特許文献２】特開2001-45239号公報
【発明の開示】
【発明が解決しようとする課題】
【０００７】
前記特許文献１及び特許文献２に記載された発明は、スキャナ装置側（特許文献１の発明ではデジタル複写機側、特許文献２の発明では画像読取装置側）で読取り画像をプレビューしスキャン条件を設定するので、パソコンに戻って読取り画像をプレビューしスキャン条件を設定する分、パソコンとスキャナ装置間の往来の回数を減らすことができる。
しかしながら、原稿の枚数が大量な場合、自動原稿送り装置で全枚数を給送し、全枚数の読取りが終了した後、第１頁目の読取り画像をプレビューし、この画像を見てスキャン条件を再設定する。この設定が何回か繰り返し行われる場合、その都度大量の原稿をセットし直さなければならない上に、プレスキャンで時間を浪費し、延いては原稿の読取りに時間がかかるという問題がある。
【０００８】
本発明は、上述の実情に鑑みてなされたものであり、その第１の目的は、大量枚数の原稿の読取り行う場合に、読取り条件の設定に時間がかからないようにすることであり、第２の目的は、読取り条件を変更する場合、変更の都度、スキャナ装置への原稿のセットをし直さなくてもよいようにすることである。そして第３の目的は、大量枚数の原稿を効率的に早く読取るようにすることである。
【課題を解決するための手段】
【０００９】
請求項１の発明は、自動原稿送り装置にセットされた複数枚の原稿を読取る画像読取装置において、画像読取装置の読取基板上にセットされた原稿の１枚目の読取りを指示する手段と、前記指示により１枚目の原稿を読取る手段と、読取られた１枚目の原稿に基き原稿の読取り条件の取得を指示する手段と、前記指示により取得された読取り条件により読取り条件を再設定する手段と、再設定された読取り条件で読取基板上にセットされた１枚目の原稿及び自動原稿送り装置から送られる原稿の読取りを指示する手段と、前記指示により再設定された読取り条件で読取基板上にセットされた１枚目の原稿及び自動原稿送り装置から送られる原稿を読取る手段と、を備えたことを特徴とする画像読取装置である。
【００１０】
請求項２の発明は、請求項１記載の画像読取装置において、前記読取られた１枚目の原稿の画像をクライアント装置へ送信し、クライアント装置から再設定される読取条件を受信する通信手段を備えたことを特徴とする画像読取装置である。
【００１１】
請求項３の発明は、請求項１又は２記載の画像読取装置を備えた画像形成装置である。
【発明の効果】
【００１２】
請求項１に対応する効果：多数枚数の原稿を全部読取ることなく読取り条件を設定するので、読取り条件の設定に時間がかからなくなる。また読取り基板上にセットされた原稿により読取り条件を設定するので、原稿のセットをし直す必要がなくなる。よって、大量枚数の原稿の読取りを効率的に早く行うことができる。
請求項２に対応する効果：画像読取装置がネットワークを介して複数のクライアント装置により共有される場合に上述の効果が得られる。
請求項３に対応する効果：請求項1,2に対応する効果を奏する画像形成装置を提供することができる。
【発明を実施するための最良の形態】
【００１３】
はじめに、本発明の実施形態に係るネットワークスキャナシステムの構成について説明する。
図１は、本発明が実施されるネットワークスキャナシステムの全体構成を示すブロック構成図であり、図中、100は後述するスキャナ装置101、プリンタ装置102、表示操作パネル103を有するデジタル複写機、200はクライアントパソコン、そして300はこれら装置が接続されるＬＡＮ等の電気通信回線である。
デジタル複写機100は、表示操作パネル103からの通常の複写操作により、スキャナ装置101で原稿をコピーし、或いはクライアントパソコン200から原稿データが送付され、プリンタ装置102で印刷出力する。なお、本システムには読取り画像を管理するスキャナサーバ装置が接続されることがある。
【００１４】
次に、本発明の実施形態に係るスキャナ装置について説明する。
図２は、本発明の実施形態に係るスキャナ装置の中央部断面構成図である。本スキャナ装置は、画像読取部a、自動原稿送り部b、スキャナ本体ｃからなる。
図２において、画像読取部aでは、原稿台ガラス8上に置かれた原稿は、第1ミラー3と一体に構成された照明ランプ2により照射され、その反射光は、原稿台ガラス8に沿って移動する第1ミラー3及び一体に構成された第2ミラー5、第3ミラー4により走査される。走査による反射光はレンズ１により集束され、センサーボードユニット（SBU）10のCCDに照射されることにより画像信号に光電変換される。第1ミラー3、照明ランプ2及び第2ミラー5、第3ミラー４は走行体に載置され、走行体モータ9を駆動源として、図面の左右方向に移動可能になっているので、原稿台ガラス8に載置された原稿面が左右方向に露光走査されることになる。
【００１５】
続いて自動原稿送り部（ADF）bでは、原稿台31の原稿ガイド12に沿って積載された原稿は、片面原稿読取りを行う場合は、呼出コロ14、給紙ベルト16により搬送コロ15、分離コロ17、第1搬送ローラ18によりＤＦ用原稿ガラス6と反射ガイド20との間の読取り位置を経て、第2搬送ローラ21及び排紙ローラ23へ送り込まれ原稿が排出される。両面原稿読取りを行う場合は、まず、上記した片面原稿読取りを行う場合と同様に、原稿表面の読取りを行う。即ち、原稿は、呼出コロ14、給紙ベルト16により搬送コロ15、分離コロ17、第1搬送ローラ18によりＤＦ用原稿ガラス6と反射ガイド20との間の読取り位置を経て、第2搬送ローラ21及び排紙ローラ23へ送り込まれるが、このとき、原稿を排出せずに、分岐爪24が下方へ切換えられて反転ローラ25により反転テーブル26上へ移送する。原稿の後端が排紙ローラ23を抜けた後に、分岐爪24が上方へ切換えられて一旦、反転ローラ25が停止する。原稿の裏面読取りに移行すると、一旦停止していた反転ローラ25を上記とは逆方向へ回転させることにより原稿が反転テーブル26から第1搬送ローラ18の方向へ搬送され、更に第1搬送ローラ18を経て表面と同様にＤＦ用原稿ガラス6と反射ガイド板20との間の読取り位置を経て、第2搬送ローラ21及び排紙ローラ23へ送り込まれ、その後、原稿が排出される。
【００１６】
原稿は、表面、裏面のいずれもＤＦ用原稿ガラス6と反射ガイド20との間の読取り位置を通過する際に、読取り位置の近傍に移動されている照明ランプ2により照射され、その反射光は、第1ミラー3及び一体に構成された第2ミラー5、第3ミラー4で伝達される。その後、反射光は、レンズ1により集光され、CCDが搭載されたSBU10に照射されることにより画像信号に光電変換され、読取り画像信号として出力される。
【００１７】
呼出コロ14、給紙ベルト16、搬送コロ15、分離コロ17からなる給紙機構は不図示の給紙モータにより駆動されている。また、第1搬送ローラ18、第2搬送ローラ21、排紙ローラ23、反転ローラ25からなる搬送機構は不図示の搬送モータにより駆動されている。
【００１８】
自動原稿送り部（ADF）b には、原稿を検知するために原稿台31に原稿がセットされているか否かを検知する原稿セットセンサ13、原稿サイズを検知するための原稿幅サイズ検知センサ28、原稿長さを検知するための第1原稿長サイズ検知センサ29と第2原稿長サイズ検知センサ30、原稿の後端を検知するための原稿後端検知センサ27が搭載されている。
【００１９】
更にスキャナ本体部cには、スキャナコントロールユニット7が搭載されている。このスキャナコントロールユニット7は、通常のADFによる自動原稿送り動作、画像読取り動作の制御の他に、原稿台ガラス8と原稿台31の両方に同時に原稿が載置されたとき、クライアントパソコン200からの指示、読取り条件に基いて原稿台ガラス8に載置された原稿の露光走査、並びに原稿台ガラス8上に原稿が載置された状態で、原稿台31の原稿の自動送りとその原稿の露光走査を可能にするように制御する。またクライアントパソコン200からの指示に基いて、露光走査によって読取られた原稿画像をクライアントパソコン200に転送するように制御する。このクライアントパソコン200からの露光操作の指示、露光条件を含む読取り条件の受信や前記原稿画像の送信は、不図示の自らの送受信部、或いはデジタル複写機100のネットワーク制御部（不図示）を介して行われる。
【００２０】
更に上記構成になるネットワークスキャナシステムの動作を説明する。ユーザーは原稿をデジタル複写機100のスキャナ装置101にセットする。即ち、原稿の第1枚目を原稿ガラス8上に載置し、第2枚目以降の原稿をADFbの原稿台31にセットする。一方、ユーザーは、クライアントパソコン200でスキャナ装置101の読取り条件を設定し、設定した読取り条件をデジタル複写機100に転送する。ユーザーは原稿の本スキャンに先立ち、原稿のプレスキャンを指示すると、スキャナ装置101は原稿ガラス8上の原稿の第１枚目をプレスキャンし、プレスキャン画像をクライアントパソコン200に転送してくる。ユーザーはプレスキャン画像をみて必要に応じ読取り条件を変更し、この条件で再プレスキャンを指示する。プレスキャンの結果、読取り条件の変更の必要がなければ、そのまま本スキャンの開始を指示する。
【００２１】
図３は、ネットワークスキャナシステムにおける画像読取り動作のフロー図である。
本フロー図に従って動作を説明する。ユーザーは、まずデジタル複写機100（スキャナ装置101）側で、原稿の第1枚目を原稿ガラス8上にセットし（S1）、第2枚目以降の原稿をADFの原稿台31にセットする（S2）。一方、クライアントパソコン200側で、スキャナ装置101の読取り条件を設定する（S3）。設定した読取り条件はデジタル複写機100に転送される。ユーザーは原稿の本スキャンに先立ち、デジタル複写機100に対して原稿のプレスキャンを指示すると（S4）、スキャナ装置101は原稿ガラス8上の第１枚目をプレスキャンし、プレスキャン画像をクライアントパソコン200に転送する（S5）。ユーザーはプレスキャン画像を見て、読取りサイズや濃度等が良好か否かを判断する（S6）。良好でない場合においては（S6,NG）、ステップS3に戻り読取り条件を変更し、変更した読取り条件をデジタル複写機100に送信し、この条件で再プレスキャンを指示する。プレスキャンの結果、読取り条件の変更の必要がなければ（S6,OK）、そのまま本スキャンの開始を指示する（S7）。この指示によりスキャナ装置101は、原稿ガラス8上の第1枚目を読取り（S8）、クライアントパソコン200に転送するので、クライアントパソコン200は、この読取り画像を受信し（S9）、不図示のメモリに記憶する。続いて原稿ガラス8上に第1枚目のセットされたままの状態で、ADFbの原稿台31にセットされた第2枚目以降の原稿を連続して読取るので（S10）、クライアントパソコン200はこの読取り画像を受信する（S11）。受信した読取り画像は既に受信した第1枚目の原稿画像と結合する（S12）。
【００２２】
前記構成ではクライアントパソコン200側からのリモート制御により第1枚目のプレスキャンの実施、読取り画像の表示による確認を行っているが、デジタル複写機100側において表示操作パネル103からの操作により第1枚目のプレスキャンの実施、読取り画像のプリント出力による確認を行うことも可能である。
【産業上の利用可能性】
【００２３】
以上のように本発明に係る画像読取装置は、多数枚数の原稿を良好な読取り条件で読取る画像読取装置として有用であり、特にネットワークに接続される大型の画像形成装置に用いるのに適している。
【図面の簡単な説明】
【００２４】
【図１】本発明が実施されるネットワークスキャナシステムの全体構成を示すブロック図である。
【図２】図１のネットワークスキャナシステムで使用されるスキャナ装置の中央部断面構成図である。
【図３】図１のネットワークスキャナシステムにおける画像読取り動作のフロー図である。
【符号の説明】
【００２５】
１・・商用交流電源、２・・メインスイッチ、３・・直流電源部、４・・電源制御部、５・・リレー装置、６・・除湿ヒータ、７・・出力制御部、８・・AD変換器、９・・CPU、１０・・定着温度センサ、１１・・定着制御部。
【図１】
2005184542.tif 000003
【図２】
2005184542.tif 000004
【図３】
2005184542.tif 000005